(57)【要約】【課題】  省エネ状態からの復帰のときに必要な機能のみを起動させることにより、消費電力をおさえること。【解決手段】  操作パネル５００を備える複合システムが省エネ待機状態にある場合、従来であれば、ユーザが電源ボタン５０１を押下するか、ＡＤＦに原稿をセットするか、圧版を動作させると全機能に対する電源が全て起動してしまうところを、本発明は、機能毎のに設けたコピーボタン５０２、ドキュメントボックスボタン５０３、ファックスボタン５０４、プリンターボタン５０５、スキャナーボタン５０６を選択して押下しないと省エネ状態から復帰しないようにし、さらに、その機能で必要な部分だけの電源復帰を行う。ネットワークを介したジョブによる省エネ状態からの復帰も、前述と同様に、必要な部分だけの電源復帰を行う。【選択図】      図１
2004222234.tif 000002
【特許請求の範囲】
【請求項１】
省エネ待機状態をとることが可能な画像形成装置において、ネットワークから送信されるフレーム内のジョブによって、電源復帰させる機構を選択する手段を備えることを特徴とする画像形成装置。
【請求項２】
前記フレーム内のジョブが、プリンタの使用、ファックスの使用、ドキュメントボックスの使用の少なくとも１つであることを特徴とする請求項１記載の画像処理装置。
【請求項３】
前記ファックスの使用は、ファックスのデータ受信または送信の場合と、プリントアウトが必要な場合とに分けられて、電源復帰させる機構の選択が行われることを特徴とする請求項２記載の画像形成装置。
【請求項４】
前記ドキュメントボックスの使用は、ドキュメントボックスに対するデータの取り込み、または、送信の場合と、プリントアウトが必要な場合とに分けられて、電源復帰させる機構の選択が行われることを特徴とする請求項２記載の画像形成装置。
【請求項５】
省エネ待機状態をとることが可能な画像形成装置において、各種機能ボタンと表示部とにより構成される操作パネルを備え、前記操作パネルの機能ボタンの１つである電源ボタンが操作されたとき、前記操作パネルの電源だけを復帰させる手段を有することを特徴とする画像形成装置。
【請求項６】
省エネ待機状態をとることが可能な画像形成装置において、各種機能ボタンの表示が可能で全体がタッチパネルを有する表示部により構成される操作パネルを備え、前記タッチパネルを有する表示部の予め定められた領域、あるいは、任意の領域にタッチされたとき、前記操作パネルの電源だけを復帰させる手段を有することを特徴とする画像形成装置。
【請求項７】
前記各機能のボタンの操作により、電源復帰させる機構を選択する手段を備えることを特徴とする請求項５または６記載の画像形成装置。
【請求項８】
前記機能のボタンの操作が、電源ボタン操作後のスキャナ、プリンタ、ファックス、ドキュメントボックス、コピーの何れか１つまたは複数のボタンの操作であることを特徴とする請求項７記載の画像処理装置。
【請求項９】
前記スキャナボタンの操作は、データのスキャナ読み込みののみの場合と、プリントアウトが必要な場合とに分けられて、電源復帰させる機構の選択が行われることを特徴とする請求項８記載の画像形成装置。
【請求項１０】
前記ファックスボタンの操作は、ファックスのデータ受信または送信の場合と、プリントアウトが必要な場合とに分けられて、電源復帰させる機構の選択が行われることを特徴とする請求項８記載の画像形成装置。
【請求項１１】
前記ドキュメントボックスボタンの操作は、ドキュメントボックスに対するデータの取り込み、または、送信の場合と、プリントアウトが必要な場合とに分けられて、電源復帰させる機構の選択が行われることを特徴とする請求項８記載の画像形成装置。
【請求項１２】
前記電源復帰させる機構を選択する手段は、ＩＯ系ＡＳＩＣのＭＡＣと、エンジン系ＡＳＩＣと、ＰＳＵとに備えられることを特徴とする請求項１ないし１１のうちいずれか１記載の画像形成装置。
【請求項１３】
前記電源復帰させる機構が、スキャナ、プロッタの一方あるいは両方であることを特徴とする請求項１ないし１１のうちいずれか１記載の画像形成装置。
【請求項１４】
前記フレーム内のジョブが、プリンタの使用であった場合、電源復帰させる機構としてプロッタを選択することを特徴とする請求項２記載の画像形成装置。
【請求項１５】
前記フレーム内のジョブが、ファックスの使用であって、かつ、ファックスのデータ受信または送信の場合、電源復帰させる機構としてスキャナを選択することを特徴とする請求項２記載の画像形成装置。
【請求項１６】
前記フレーム内のジョブが、ファックスの使用であって、かつ、ファックスのデータ受信または送信、かつ、プリントアウトが必要な場合、電源復帰させる機構としてスキャナ及びプロッタを選択することを特徴とする請求項２記載の画像形成装置。
【請求項１７】
前記フレーム内のジョブが、ドキュメントボックスの使用であって、プリントアウトが必要な場合、電源復帰させる機構としてプロッタを選択することを特徴とする請求項２記載の画像形成装置。
【請求項１８】
前記機能のボタンの操作が、スキャナボタンであって、データのスキャナ読み込みの場合、電源復帰させる機構としてスキャナを選択することを特徴とする請求項８記載の画像形成装置。
【請求項１９】
前記機能のボタンの操作が、スキャナボタンであって、プリントアウトが必要な場合、電源復帰させる機構としてプロッタを選択することを特徴とする請求項８記載の画像形成装置。
【請求項２０】
前記機能のボタンの操作が、プリンタボタンであった場合、電源復帰させる機構としてプロッタを選択することを特徴とする請求項８記載の画像形成装置。
【請求項２１】
前記機能のボタンの操作が、ファックスボタンであって、かつ、ファックスのデータ受信または送信の場合、電源復帰させる機構としてスキャナを選択することを特徴とする請求項８記載の画像形成装置。
【請求項２２】
前記機能のボタンの操作が、ファックスボタンであって、かつ、ファックスのデータ受信または送信、かつ、プリントアウトが必要な場合、電源復帰させる機構としてスキャナ及びプロッタを選択することを特徴とする請求項８記載の画像形成装置。
【請求項２３】
前記機能のボタンの操作が、ドキュメントボックスボタンであって、ドキュメントボックスに対するデータの取り込み、または、送信の場合、電源復帰させる機構としてスキャナを選択することを特徴とする請求項８記載の画像形成装置。
【請求項２４】
前記機能のボタンの操作が、ドキュメントボックスボタンであって、プリントアウトが必要な場合、電源復帰させる機構としてプロッタを選択することを特徴とする請求項８記載の画像形成装置。
【請求項２５】
前記機能のボタンの操作が、コピーボタンであった場合、電源復帰させる機構としてスキャナ及びプロッタを選択することを特徴とする請求項８記載の画像形成装置。
【請求項２６】
省エネ待機状態をとることが可能な画像形成装置の省エネ制御方法において、ネットワークから送信されるフレーム内のジョブによって、電源復帰させる機構を選択することを特徴とする画像形成装置の省エネ制御方法。
【発明の詳細な説明】
【技術分野】
【０００１】
本発明は、画像形成装置及び画像形成装置の省エネ制御方法に係り、特に、複写、ファックス、プリント、スキャン等の複数の機能が組み込まれた複合システムに使用する画像形成装置及び画像形成装置の省エネ制御方法に関する。
【背景技術】
【０００２】
近年、複写、ファックス、プリント、スキャン等の複数の機能が組み込まれた複合システムが多く使用されされるようになってきている。この種の複合システムは、通常、電源の投入後に、使用することなくある一定時間が経過すると、待機モード、予熱モード、低電力モード、スリープモードと順に高い省エネの状態に移行して待機するように制御されている。
【０００３】
そして、前述の複合装置は、省エネ待機状態になった状態で、システムの利用のために、操作パネルに備えられる電源ボタンを押下するか、ＡＤＦに紙をセットするか、圧版を動作させると、システムの機能の全てが復帰するようにされている。
【０００４】
なお、前述したように省エネ制御に関する従来技術として、例えば、特許文献１〜５に記載された技術が知られている。
【特許文献１】特開２００１−２２４８１号公報
【特許文献２】特開２００１−１９１６１６号公報
【特許文献３】特開２００２−４４３０９号公報
【特許文献４】特開２００２−５２７８４号公報
【特許文献５】特開平１１−１２６０００号公報
【発明の開示】
【発明が解決しようとする課題】
【０００５】
前述したように従来技術による複合システムは、省エネ待機状態になった状態で、システムの利用のために、操作パネルに備えられる電源ボタンを押下するか、ＡＤＦに紙をセットするか、圧版を動作させると、システムの機能の全てが復帰するように制御されている。
【０００６】
しかし、前述した従来技術は、ユーザがスキャナ機能のみで複写機のハードディスクに情報を取り込みたい場合、ドキュメントＢＯＸに情報を取り込みたい場合、ＦＡＸでデータの送信のみに使用したい場合等に、使用する必要のないエンジン部分まで電源が入ってしまい、余分な機能まで電源復帰してしまうため省エネの機能が充分に生かされていない場合が多いという問題点を有している。
【０００７】
また、前述の従来技術は、複合システムがネットワークに接続されていて、ネットワークを介して使用されるような場合も、前述と同様に、ネットワークを介して送られてくるジョブの機能に関係なく省エネから復帰して全ての機能が電源復帰してしまうため、省エネの機能が充分に生かされていないという問題点を有している。
【０００８】
本発明の目的は、前述した従来技術の問題点を解決し、省エネ状態からの復帰のときに必要な機能のみを起動させることにより、必要な機能にのみ電力を供給可能として消費電力をおさえることができるようにした画像形成装置及び画像形成装置の省エネ制御方法を提供することにある。
【課題を解決するための手段】
【０００９】
前記目的を達成するための本発明の第１の手段は、省エネ待機状態をとることが可能な画像形成装置において、ネットワークから送信されるフレーム内のジョブによって、電源復帰させる機構を選択する手段を備えることを特徴とする。
【００１０】
本発明の第２の手段は、第１の手段において、前記フレーム内のジョブが、プリンタの使用、ファックスの使用、ドキュメントボックスの使用の少なくとも１つであることを特徴とする。
【００１１】
第３の手段は、第２の手段において、前記ファックスの使用が、ファックスのデータ受信または送信の場合と、プリントアウトが必要な場合とに分けられて、電源復帰させる機構の選択が行われることを特徴とする。
【００１２】
第４の手段は、第２の手段において、前記ドキュメントボックスの使用が、ドキュメントボックスに対するデータの取り込み、または、送信の場合と、プリントアウトが必要な場合とに分けられて、電源復帰させる機構の選択が行われることを特徴とする。
【００１３】
第５の手段は、省エネ待機状態をとることが可能な画像形成装置において、各種機能ボタンと表示部とにより構成される操作パネルを備え、前記操作パネルの機能ボタンの１つである電源ボタンが操作されたとき、前記操作パネルの電源だけを復帰させる手段を有することを特徴とする。
【００１４】
第６の手段は、省エネ待機状態をとることが可能な画像形成装置において、各種機能ボタンの表示が可能で全体がタッチパネルを有する表示部により構成される操作パネルを備え、前記タッチパネルを有する表示部の予め定められた領域、あるいは、任意の領域にタッチされたとき、前記操作パネルの電源だけを復帰させる手段を有することを特徴とする。
【００１５】
第７の手段は、第５または第６の手段において、前記各機能のボタンの操作により、電源復帰させる機構を選択する手段を備えることを特徴とする。
【００１６】
第８の手段は、前記機能のボタンの操作が、電源ボタン操作後のスキャナ、プリンタ、ファックス、ドキュメントボックス、コピーの何れか１つまたは複数のボタンの操作であることを特徴とする。
【００１７】
第９の手段は、第８の手段において、前記スキャナボタンの操作が、データのスキャナ読み込みののみの場合と、プリントアウトが必要な場合とに分けられて、電源復帰させる機構の選択が行われることを特徴とする。
【００１８】
第１０の手段は、第８の手段において、前記ファックスボタンの操作が、ファックスのデータ受信または送信の場合と、プリントアウトが必要な場合とに分けられて、電源復帰させる機構の選択が行われることを特徴とする。
【００１９】
第１１の手段は、第８の手段において、前記ドキュメントボックスボタンの操作が、ドキュメントボックスに対するデータの取り込み、または、送信の場合と、プリントアウトが必要な場合とに分けられて、電源復帰させる機構の選択が行われることを特徴とする。
【００２０】
第１２に手段は、第１ないし第１１のうちいずれか１の手段において、前記電源復帰させる機構を選択する手段が、ＩＯ系ＡＳＩＣのＭＡＣと、エンジン系ＡＳＩＣと、ＰＳＵとに備えられることを特徴とする。
【００２１】
第１３の手段は、第１ないし第１１のうちいずれか１の手段において、前記電源復帰させる機構が、スキャナ、プロッタの一方あるいは両方であることを特徴とする。
【００２２】
第１４の手段は、第２の手段において、前記フレーム内のジョブが、プリンタの使用であった場合、電源復帰させる機構としてプロッタを選択することを特徴とする。
【００２３】
第１５の手段は、第２の手段において、前記フレーム内のジョブが、ファックスの使用であって、かつ、ファックスのデータ受信または送信の場合、電源復帰させる機構としてスキャナを選択することを特徴とする。
【００２４】
第１６の手段は、第２の手段において、前記フレーム内のジョブが、ファックスの使用であって、かつ、ファックスのデータ受信または送信、かつ、プリントアウトが必要な場合、電源復帰させる機構としてスキャナ及びプロッタを選択することを特徴とする。
【００２５】
第１７の手段は、第２の手段において、前記フレーム内のジョブが、ドキュメントボックスの使用であって、プリントアウトが必要な場合、電源復帰させる機構としてプロッタを選択することを特徴とする。
【００２６】
第１８の手段は、第８の手段において、前記機能のボタンの操作が、スキャナボタンであって、データのスキャナ読み込みの場合、電源復帰させる機構としてスキャナを選択することを特徴とする。
【００２７】
第１９の手段は、第８の手段において、前記機能のボタンの操作が、スキャナボタンであって、プリントアウトが必要な場合、電源復帰させる機構としてプロッタを選択することを特徴とする。
【００２８】
第２０の手段は、第８の手段において、前記機能のボタンの操作が、プリンタボタンであった場合、電源復帰させる機構としてプロッタを選択することを特徴とする。
【００２９】
第２１の手段は、第８の手段において、前記機能のボタンの操作が、ファックスボタンであって、かつ、ファックスのデータ受信または送信の場合、電源復帰させる機構としてスキャナを選択することを特徴とする。
【００３０】
第２２の手段は、第８の手段において、前記機能のボタンの操作が、ファックスボタンであって、かつ、ファックスのデータ受信または送信、かつ、プリントアウトが必要な場合、電源復帰させる機構としてスキャナ及びプロッタを選択することを特徴とする。
【００３１】
第２３の手段は、第８の手段において、前記機能のボタンの操作が、ドキュメントボックスボタンであって、ドキュメントボックスに対するデータの取り込み、または、送信の場合、電源復帰させる機構としてスキャナを選択することを特徴とする。
【００３２】
第２４の手段は、第８の手段において、前記機能のボタンの操作が、ドキュメントボックスボタンであって、プリントアウトが必要な場合、電源復帰させる機構としてプロッタを選択することを特徴とする。
【００３３】
第２５の手段は、第８の手段において、前記機能のボタンの操作が、コピーボタンであった場合、電源復帰させる機構としてスキャナ及びプロッタを選択することを特徴とする。
【００３４】
第２６の手段は、省エネ待機状態をとることが可能な画像形成装置の省エネ制御方法において、ネットワークから送信されるフレーム内のジョブによって、電源復帰させる機構を選択することを特徴とする。
【００３５】
前述した第１の手段ないし第４の手段、第１２の手段ないし第１７の手段及び第２６手段によれば、ネットワークから送られるフレーム内のジョブによって復帰させる機構のみに電源を入れるように制御することが可能になり、より省エネな画像形成装置を構成することができる。
【００３６】
また、前述した第５、第６の手段によれば、操作パネルだけを、電源復帰させることができるので、より省エネな画像形成装置を構成することができる。
【００３７】
また、前述した第７の手段ないし第１３の手段及び第１８ないし第２５の手段によれば、操作パネルの機能ボタンの操作によって復帰させる機構のみに電源を入れるように制御することが可能になり、より省エネな画像形成装置を構成することができる。
【発明の効果】
【００３８】
本発明によれば、ネットワークを介して、あるいは、操作パネルから指示されるジョブによって復帰させる機構のみを選択して電源を入れるように制御することが可能になり、より省エネな画像形成装置を構成することができる。
【発明を実施するための最良の形態】
【００３９】
以下、本発明による画像形成装置及び画像形成装置の省エネ制御方法の実施形態を図面により詳細に説明する。
【００４０】
図１は本発明の一実施形態による画像形成装置が組み込まれた複合システムの操作パネルの例を示す図である。図１において、５００は操作パネル、５０１は電源ボタン、５０２はコピーボタン、５０３はドキュメントボックスボタン、５０４はファックスボタン、５０５はプリンターボタン、５０６はスキャナーボタン、５０７は表示部、５０８はテンキー部、５０９はスタートボタン、５１０はクリア／ストップボタン、５１１は試しコピーボタンである。
【００４１】
図１に示す操作パネル５００は、通常設けられている電源ボタン５０１、表示部５０７、テンキー部５０８、スタートボタン５０９、クリア／ストップボタン５１０、試しコピーボタン５１１に加えて、本発明により、コピーボタン５０２、ドキュメントボックスボタン５０３、ファックスボタン５０４、プリンターボタン５０５、スキャナーボタン５０６が設けられて構成されている。
【００４２】
そして、図１に示す操作パネル５００を備える複合システムが省エネ待機状態にある場合、従来であれば、ユーザが電源ボタン５０１を押下するか、ＡＤＦに原稿をセットするか、圧版を動作させると全機能に対する電源が全て起動してしまう。
【００４３】
本発明は、複合システムの操作パネル５００に設けられた機能毎のボタンとしてのコピーボタン５０２、ドキュメントボックスボタン５０３、ファックスボタン５０４、プリンターボタン５０５、スキャナーボタン５０６を選択して、ユーザが押下したときにシステムが省エネ状態から復帰するようにしており、しかも、押下された機能毎のボタンにより指示された機能で必要な部分だけの電源復帰を行うようにしている。また、システムの電源がオフとされた状態のとき、電源ボタン５０１が操作（押下）された場合、操作パネル５００の電源が立ち上げられて、前述した各所の機能ボタンの操作（押下）が有効になる。本発明は、これにより、省エネの機能を充分に生かすことができるようにしている。
【００４４】
操作パネル５００は、図１に示しているように、表示部５０７と、この表示部５０７の周辺に配置された多数の機能ボタンとにより構成される。そして、表示部５０７は、タッチパネルが設けられて構成されており、操作の状態等を表示すると共に、表示された次の操作の指示ボタンにユーザがタッチ（操作）することにより、表示部５０７の表示面に設けられたタッチパネルを使用して、種々の操作を行うことができる。
【００４５】
前述では、操作パネル５００が、表示部５０７と、この表示部５０７の周辺に配置された多数の機能ボタンとにより構成されるとして説明したが、本発明の実施形態は、操作パネル５００の全体をタッチパネルを設けた表示部により構成してもよい。そして、システムの電源がオフとされ、操作パネル上の表示部のための電源も供給されていないときにも、タッチパネルへのユーザの指等の接触を検出可能としておき、指等の接触が検出された場合、まず、操作パネルを構成する表示部の電源を立ち上げて、その後の操作の全てを表示部のタッチパネルから行うようにすることができる。
【００４６】
また、本発明は、省エネ待機状態からネットワークを介しての復帰において、ネットワークを介して送られてくる伝送フレームの内容によって起動状態を選択できるセレクト回路を設けて、前述の場合と同様に、必要な部分だけの電源復帰を行うようにしている。なお、前述したような本発明での省エネ制御の詳細については後述する。
【００４７】
図２は一般的な複合システムのシステム状態の遷移を説明する図であり、次に、図２を参照して、複写機の機能を中心として、省エネの各モードについて説明する。
【００４８】
図２において、ＭＦ Sleepモード６０１の状態は、エンジン部に電源が入っていない状態であり、当然定着部も電源ＯＦＦの状態である。一方、モード６０２〜６０５の状態は、エンジンに電源が入っており、時間が経過したり、人が複写機能のスイッチを入れたりする条件で３つの省エネモードに変化する状態である。待機モード６０５は、すぐ複写機能を動かせる状態であり、低電力モード６０２と予熱モード６０３とは省エネモードであり、低電力モード６０２の方がより省エネモードとなっている。
【００４９】
通常、動作モード６０４で各種の機能の動作が行われ、コピー、印刷等のジョブが終了すれば待機モード６０５に移行する。待機モード６０５は、エンジン及び定着部の電源がＯＮとなっていて、他立ちに動作モード６０４に移行可能な状態であり、何らかのジョブ、例えば、コピー、印刷等のジョブが開始されれば、直ちに動作モード６０４に移行する。待機モード６０５の状態で、予熱キーの操作が行われたり、あるいは、何の操作も行われることなく一定時間の経過をソフトタイマーが検出すると、予熱モード６０３に移行する。
【００５０】
予熱モード６０３は、操作パネルの電源をＯＦＦとし、定着部の温度を下げて予熱するだけの状態であり、何らかのキー操作、あるいは、センサにより操作が検知されると、待機モード６０５に移行し、さらに動作モード６０４に移行して必要な動作が可能になる。また、この予熱モード６０３において、各種プリンタインタフェースからプリント要求があると、操作パネルをＯＦＦとしたまま、動作モード６０４に移行して要求されたジョブを処理し、ジョブの終了後、予熱モード６０３に戻る。予熱モード６０３の状態で、何の操作も行われることなく一定時間の経過をソフトタイマーが検出すると、低電力モード６０２に移行する。
【００５１】
低電力モード６０２は、エンジン及び定着部の電源がＯＦＦとされ、コントローラだけがＯＮとされているいる状態である。この低電力モード６０２の状態で、各種プリンタインタフェースからプリント要求があると、操作パネルをＯＦＦとしたまま、動作モード６０４に移行して要求されたジョブを処理し、ジョブの終了後、低電力モード６０２に戻る。低電力モード６０２の状態で、サブ電源キーがＯＦＦとされたり、あるいは、何の操作も行われることなく一定時間の経過をソフトタイマーが検出すると、ＭＦ Sleepモード６０１に移行する。
【００５２】
ＭＦ Sleepモード６０１は、エンジン及び定着部の電源がＯＦＦとされ、通信回線を介したＣＳＳ要求（センター側からのトナー状態チェック等の要求）のみを受け付けて、操作パネル等はＯＦＦのまま通信を行う。このＭＦ Sleepモード６０１への移行は、予熱モード６０３、待機モード６０５からも、サブ電源キーのＯＦＦ、ウイークリータイマーによるタイムアップ等により可能である。また、このＭＦ Sleepモード６０１の状態においても、各種プリンタインタフェースからプリント要求があると、動作モード６０４に戻って、プリントジョブを実行することができる。
【００５３】
図４は本発明での省エネ制御を実行する画像形成装置のハードウェアプラットホームの構成を示すブロック図であり、次に、これについて説明する。
【００５４】
図１に示す画像形成装置は、コントローラ１０１とエンジン部１０６とをＰＣＩで接続して構成され、さらに、パワーサプライユニット（ＰＳＵ）１１０を備えて構成されている。コントローラ１０１は、画像形成装置全体の制御、描画、通信、操作部からの入力を制御するコントローラである。エンジン部１０６は、スキャナ１０８とプロッタ１０９とを有している。プロッタ１０９は、白黒プロッタ、１ドラムカラープロッタであり、スキャナ１０８は、スキャナ、ファックスユニット等である。このエンジン部１０６には、プロッタ１０９及びスキャナ１０８等のいわゆるエンジン部分に加えて、誤差拡散やガンマ変換などの画像処理を行う画像処理部１２２と及びＰＣＩ部１２３を含むＡＳＩＣ１０７と、ＣＰＵ１１１とを有している。
【００５５】
コントローラ１０１は、ＣＰＵ１０５と、ノースブリッジ（ＮＢ）１０４と、システムメモリ（ＭＥＭ−Ｐ）１１２と、サウスブリッジ（ＳＢ）１０３と、ローカルメモリ（ＭＥＭ−Ｃ）１１９と、ＡＳＩＣ１１８と、操作部１１６と、複数のハードディスクドライブ（ＨＤＤ）１１７と、ＡＳＩＣ１０２と、ＯＰＴＩＯＮ１１４、１１５と、ＲＯＭ１１３とを有し、ノースブリッジ（ＮＢ）１０４とＡＳＩＣ１１８との間をＡＧＰ(Acce1erated Graphics Port）により接続して構成される。また、ＮＢ１０４とＳＢ１０３との間はＰＣＩにより接続されている。
【００５６】
ＣＰＵ１０５は、画像形成装置の全体の制御を行うものであり、ＮＢ１０４、ＭＥＭ−Ｐ１１２、ＡＳＩＣ１０２、ＯＰＴＩＯＮ１１４、１１５、ＲＯＭ１１３及びＳＢ１０３からなるチップセットを有する。ここで、このＣＰＵ１Ｏ２のインターフェースは公開されておらず、チップセットを介して他の機器を接続するものとする。
【００５７】
ＮＢ１０４は、ＣＰＵ１０５とＭＥＭ−Ｐ１１２、ＳＢ１０３、ＡＧＰとを接続するためのブリッジであり、ＭＥＭ−Ｐ１１２は、画像形成装置の描画用メモリ等として用いるシステムメモリである。ＳＢ１０３は、ＮＢ１０４とＲＯＭ１１３、ＰＣＩデバイス、周辺デバイスとを接続するためのブリッジである。なお、ＯＰＴＩＯＮ１１４、１１５は、オプションとしてのＰＣＩデバイス、周辺デバイスを接続するための空きスロットである。
【００５８】
ＭＥＭ−Ｃ１１９は、コピー用画像バッファ、符号バッファとして用いるローカルメモリであり、ＡＳＩＣ１１８は、画像処理用のハードウェア要素を有する画像処理用途向けのＩＣであり、ＡＧＰ、ＰＣＩ、ＨＤＤ１１７及びＭＥＭ−Ｃ１１９をそれぞれ接続するブリッジの役割も有する。
【００５９】
操作部１１６は、ユーザからの入力操作の受け付け並びにユーザに向けた表示を行う操作部であり、図１に示した操作パネル５００に相当する。ＨＤＤ１１７は、画像データの蓄積、プログラムの蓄積、フォントデータの蓄積、フォームの蓄積を行うためのストレージである。
【００６０】
ＡＳＩＣ１１８とＮＢ１０４とを接続するＡＧＰは、グラフィック処理を高速化するために提案されたグラフィックスアクセラレーターカード用のバスインターフェースであり、システムメモリ１１２に高スループットで直接アクセスすることにより、グラフィックスアクセラレーターカードを高速にするものである。
【００６１】
このＡＧＰは、本来、３Ｄ（三次元）画像をスムーズにディスプレイに表示する際に用いられるものであるが、図４に示す画像形成装置では、このＡＧＰを介してＮＢ１０４とＡＳＩＣ１１８とを接続している。
【００６２】
すなわち、前述したように、ＣＰＵ１０２のインターフェースが公開されていないので、ここではチップセットの一部であるＮＢ１０４を介してＡＳＩＣ１１８を接続している。その際、ＰＣＩバスを用いて両者を接続したのではパフォーマンスが低下するため、ここでは、ＡＧＰを拡張利用している。
【００６３】
ＡＳＩＣ１１８に含まれる編集部１２４、ビデオ出力部１２５、合成部１２６は、画像データを所望の状態に編集してエンジン部１０６に出力するものであるが、これらの構成等は、本発明の要旨とするところではないので、その説明は省略する。
【００６４】
〔ネットワークフレームを使用した電源復帰〕
すでに図２を参照して説明したように、従来技術による複写機は、ネットワークから省エネ状態を復帰させると、どのような場合でも、ＭＦ Sleepモード６０１から待機モード６０５の状態に復帰してしまう。この理由は、複写機にプリントアウトさせる場合、エンジン部の電源を復帰させてプリントアウトさせなければならないため、スキャナ機能の電源も復帰することになるからである。また、複写機のドキュメントボックスにデータを入れたい場合やスキャナでデータを取り込みたい場合、ＦＡＸのデータをドキュメントボックスに入れておいて後日データを引き出したい場合等にも、エンジン部の電源を復帰させてしまうので余分な電力を消費してしまうことになる。
【００６５】
そこで、本発明の実施形態は、ネットワークから省エネを復帰させる場合、ネットワークからのフレームによって待機モード６０５にするか、ＭＦ Sleepモード６０１のままで、エンジンの復帰なしでデータのみを取り込むかの選択を行う回路をＩＯ系ＡＳＩＣである図４に示したＡＳＩＣ１０２に含まれるＭＡＣ(Media Access Control)に設け、そこからエンジン１０６側のＡＳＩＣ１０７とＰＳＵ１１０とに、スキャナ１０８とプロッタ１０９とを選択させる機能を持たせている。この詳細については後述する。なお、ＭＡＣは、ＡＳＩＣ１０２の中に含まれるネットワークの機能を含んだＡＳＩＣの機能の１部分である。
【００６６】
待機モード６０５とは、エンジン１０６側とコントローラ１０１側との両方の電源が復帰している状態のことで、コピー、プリンタ、ＦＡＸによるプリントアウトなど全ての機能が動作可能な状態のことである。また、ＭＦ Sleepモード６０１とは、エンジン１０６側のエンジン部の電源が入っていない状態のことである。
【００６７】
図３はコントローラ側における省エネ制御を行う部分の構成を示すブロック図であり、この図は、図４におけるＡＳＩＣ１０２、ＳＢ１０３、ＮＢ１０４及びＣＰＵ１０５と周辺部回路とを示している。なお、図３には、本発明に関わらない構成部分も示されているが、それらについては説明を省略している。
【００６８】
ネットワークから省エネ復帰を行う際、図２に示されるＰＷＲＣＴＲＬ０とＰＷＲＣＴＲＬ１で復帰状態を決定する。復帰状態は、ネットワークから送られてくる復帰パケットに含まれる内容により決定される。この決定方法については後述する。
【００６９】
前述のＰＷＲＣＴＲＬ１は、図３に示すＰＭＷＯＬ信号７０５に対応している。この信号がＡＳＩＣ１０２からＳＢ(SouthBridge）１０３にＰＷＲＢＴＮ信号７０９として入力され、さらに、ＳＢ１０３からＰＷＲＯＮ信号７１１として出力されて、ＰＷＲＣ１信号７１５として、図４に示すＰＳＵ１１０に入力される。これが、図２に示しているＰＷＲＣＴＬ１である。また、ＰＷＲＣＴＲＬ０は、図３に示すＧＰＩＯ０信号７０４に対応している。この信号は、汎用入出力ポート信号で、ソフトで制御できる信号であり、ＰＷＲＣ１信号７１６として、図４に示すＰＳＵ１１０に接続されている。これが、図２に示しているＰＷＲＣＴＲＬ０のことである。本発明の実施形態は、この２つの信号により、省エネの待機状態を決定している。
【００７０】
なお、図３に示しているＰＷＲＣ１信号７１２、及びＰＷＲＣ０信号７１３は、本発明とは、直接的には関係しない信号であり、別の基板の電源のコントロールのために必要な信号である。
【００７１】
前述した２つの制御信号ＰＷＲＣＴＲＬ１及びＰＷＲＣＴＲＬ０を用いて、起動するジョブ機能に基づいて、省エネから復帰する機構を制御すれ省エネの効果を得ることができる。
【００７２】
そのため、複写機を省エネ状態からネットワークを介して復帰させるとき、どの機能を復帰させればよいかを選択する機能が必要になる。この機能は、ＡＳＩＣ１０２に含まれるＭＡＣ内に電源復帰フレームをどの機能を復帰させるかを選択できるようにし、さらに、ＡＳＩＣ１０２内にレジスタを新たに作成して復帰させる機能選択がＡＳＩＣ１０２の外からも見えるようにすることにより実現することができる。
【００７３】
図６はＡＳＩＣ１０２に追加するレジスタの例を説明する図である。このレジスタ３００は、３２ビットのレジスタでデフォルト値として、各ビットに“０”が設定されている。そして、ネットワークからの復帰レジスタとして、ＮＥスキャナ（data）３０８、ＮＥスキャナ（p−out）３０９、ＮＥプリンタ３１０、ＮＥＦＡＸ（data）３１１、ＮＥＦＡＸ（p−out）３１２、ＮＥドキュメントボックス（data）３１３、ＮＥドキュメントボックス（p−out）３１３’、ＮＥコピー３１４を設定する。復帰させたいフレームがどの機能であるかは、これらのレジスタがＨｉｇｈにアサートされると復帰要求があるとすることにより決定する。Dataとp−outとは、データのみを取り込む場合とプリントアウトする場合とで復帰動作が変わるためである。なお、３０１〜３０７は、操作パネルからの復帰レジスタであり、これについては後述する。
【００７４】
図５はネットワーク復帰フレームからレジスタに登録を行い、ＰＷＲＣＴＲＬ０、ＰＷＲＣＴＲＬ１の各信号を選択する処理を説明するフローチャートであり、次に、これについて説明する。幾つかのパターンのフレームを識別する機能は、ＭＡＣの機能の一部分として内臓されている。従って、前述したレジスタ３００への登録及び次に説明する処理は、ＭＡＣにより実行される。
【００７５】
（１）ネットワーク起動パケットを受信し、その内容に基づいて、前述で説明したレジスタ３００の３０８〜３１４に登録する（ステップ２０１、２０２）。
【００７６】
（２）レジスタ３００の３０８〜３１４を読み出して、それらの内容からＦＡＸの受信のみか否かを判定し、ＦＡＸの受信のみであった場合、ＧＰＩＯ：Ｌｏｗ、ＰＭＷＯＬ：Ｈｉｇｈを出力する（ステップ２０３、２０４、２０７）。
【００７７】
（３）ステップ２０４の判定で、ＦＡＸの受信のみではなかった場合、スキャナ取り込みのみか否かを判定し、スキャナ取り込みのみであった場合、前述と同様に、ＧＰＩＯ：Ｌｏｗ、ＰＭＷＯＬ：Ｈｉｇｈを出力する（ステップ２０５、２０７）。
【００７８】
（４）ステップ２０５の判定で、スキャナ取り込みのみではなかった場合、ドキュメントボックスの使用のみか否かを判定し、ドキュメントボックスの使用のみであった場合、前述と同様に、ＧＰＩＯ：Ｌｏｗ、ＰＭＷＯＬ：Ｈｉｇｈを出力する（ステップ２０６、２０７）。
【００７９】
（５）ステップ２０６の判定で、ドキュメントボックスの使用のみではなかった場合、ＧＰＩＯ：Ｌｏｗ、ＰＭＷＯＬ：Ｌｏｗを出力する（ステップ２０８）。
【００８０】
前述で説明したフローから判るように、判定条件２０４、２０５、２０６が成立する場合以外は、全ての機能を復帰させる命令ということになる。このことにより、ＡＳＩＣ１０２に外部信号の追加が必要になってくる。追加された信号が図３に示すＡＳＩＣ１０２から出力しているＰＭ＿ＮＥＳＥＬ［７：０］信号７０３である。これにより、エンジン１０６側に復帰させたい機能の情報を伝えることができる。さらに、ＡＳＩＣ１０２からのＧＰＩＯ０信号７０４がＧＰＩＯ０信号７１５として、また、ＳＢ１０３からのＰＷＲＯＮ信号７１１がＰＷＲＯＮ信号７１６として、エンジン１０６側に接続される。
【００８１】
図８はエンジン側ＡＳＩＣとＰＳＵとの構成を示すブロック図である。この図は図４に示すエンジン１０６とＰＳＵ１１０とを示したものである。
【００８２】
図８に示すように、エンジン側ＡＳＩＣ１０７には、コントローラ１０１側からのＰＭ＿ＮＥＳＥＬ［７：０］信号７０３を信号８０１として、また、ＰＭ＿ＯＰＳＥＬ［７：０］信号７０２を信号８０２として受け取る電源セレクトレジスタ８１０が設けられ、ＰＳＵ１１０には、コントローラ１０１側からのＧＰＩＯ０信号７１５を信号８０３として、ＰＷＲＯＮ信号７１６を信号８０４として受け取る電源セレクト回路８１１が設けられている。そして、コントローラ１０１側からのＧＰＩＯ０信号８０３、ＰＷＲＯＮ信号８０４によってエンジン１０６に電源をいれるか否かが選択される。
【００８３】
図９はＧＰＩＯ０信号、ＰＷＲＯＮ信号によってエンジンに電源を入れるか否かを決定する処理を説明するフローチャートであり、次にこれについて説明する。
【００８４】
（１）この処理が開始されると、ＰＷＲＯＮ信号８０４＝１か否かを判定し、ＰＷＲＯＮ信号８０４＝１ではなかった場合、ＰＳＵ１１０からの出力信号ＰＷＲ＿ＯＮ＝１として、エンジン１０６の電源をＯＮとする（ステップ９０１、９０４）。
【００８５】
（２）ステップ９０１の判定で、ＰＷＲＯＮ信号８０４＝１であった場合、ＧＰＩＯ０信号＝１か否かを判定し、ＧＰＩＯ０信号＝１でなかった場合、前述と同様に、ＰＳＵ１１０からの出力信号ＰＷＲ＿ＯＮ＝１として、エンジン１０６の電源をＯＮとする（ステップ９０２、９０４）。
【００８６】
（３）ステップ９０２の判定で、ＧＰＩＯ０信号＝１であた場合、ＰＳＵ１１０からの出力信号ＰＷＲ＿ＯＮ＝０として、エンジン１０６の電源をＯＦＦのままとする（ステップ９０３）。
【００８７】
前述で説明したフローから判るように、判定条件９０１、９０２が成立する場合以外は、エンジン１０６に電源ＯＮ信号を送る。この図９では、ＰＷＲＯＮ、ＧＰＩＯ０の両方の信号ともＨｉｇｈ以外の場合、エンジン１０６の電源をＯＮにする、すなわち、全ての機能を復帰させる命令ということになる。
【００８８】
さらに、エンジン側ＡＳＩＣ１０７に、使用する機能によって復帰する動作を変えるためレジスタを追加する。
【００８９】
図１０はＡＳＩＣ１０７に追加するレジスタの例を説明する図である。このレジスタ８００は、図６により説明したコントローラ側に追加したレジスタと同様な構成であり、３２ビットのレジスタでデフォルト値として、各ビットに“０”が設定されている。そして、ネットワークからの復帰レジスタとして、図６の場合と同様に、１００８〜１０１４を設定する。加えて、ビット３１にＰＳＵ１１０からのＰＷＲ＿ＯＮ信号のレジスタ１０１５が追加されている。このレジスタからジョブによってどの機構を復帰させるか、具体的には、スキャナを動作させるか、プロッタを動作させるか、あるいは、両方を動作させるかを選択させる。
【００９０】
図１２はネットワークからのジョブによって起動させる機構を変える制御手順を説明するフローチャートであり、次に、これについて説明する。ここでの処理において、判定条件のステップ１２０３、１２０５、１２０９、１２１０、１２１１は、レジスタ１００７、１００８、１００９、１０１０、１０１１にそれぞれ対応している。これらがＣＰＵに読み込まれ動作する機構を制限する。スキャナ読み込みのデータのみの場合と、プリントアウトが必要なときの条件判定は、ステップ１２０４で行われ、ＦＡＸのデータ受信のみの場合と、プリントアウトが必要なときの条件判定は、ステップ１２１１で行われる。また、ドキュメントボックスに対するデータの取り込み、または、送信と、プリントアウトが必要なときの条件判定は、ステップ１２１４で行われる。
【００９１】
（１）図１０に示すレジスタ１０１５のＰＷＲ＿ＯＮ＝１か否かを判定し、ＰＷＲ＿ＯＮ＝１でなかった場合、どこの電源も復帰させず、ＰＷＲ＿ＯＮ＝１であった場合、ＮＥスキャナ＝１か否かを判定する（ステップ１２０１〜１２０３）。
【００９２】
（２）ステップ１２０３の判定で、ＮＥスキャナ＝１であった場合、データの取り込みのみであるか否かを判定し、データの取り込みのみであった場合、スキャナ電源ＯＮ、プロッタ電源ＯＦＦとし、データの取り込みのみではなかった場合、プリントアウトも行うとして、スキャナ電源ＯＮ、プロッタ電源ＯＮとする（ステップ１２０４、１２０６、１２０７）。
【００９３】
（３）ステップ１２０３の判定で、ＮＥスキャナ＝１ではなかった場合、ＮＥプリンタ＝１か否かを判定し、ＮＥプリンタ＝１であった場合、スキャナ電源ＯＦＦ、プロッタ電源ＯＮとする（ステップ１２０５、１２０８）。
【００９４】
（４）ステップ１２０５の判定で、ＮＥプリンタ＝１ではなかった場合、ＮＥＦＡＸ＝１か否かを判定し、ＮＥＦＡＸ＝１であった場合、データの取り込みのみか否かを判定する（ステップ１２０９、１２１１）。
【００９５】
（５）ステップ１２１１の判定で、データの取り込みのみであった場合、スキャナ電源ＯＦＦ、プロッタ電源ＯＦＦとする（ステップ１２１２、１２１３）。
【００９６】
（６）ステップ１２０９の判定で、ＮＥＦＡＸ＝１ではなかった場合、ＮＥドキュメントボックス＝１か否かを判定し、ＮＥドキュメントボックス＝１であった場合、ドキュメントの取り込み、または、取り出し送信か否かを判定する（ステップ１２１０、１２１４）。
【００９７】
（７）ステップ１２１４の判定で、ドキュメントの取り込み、または、取り出し送信であった場合、スキャナ電源ＯＦＦ、プロッタ電源ＯＦＦとし、ドキュメントの取り込み、または、取り出し送信ではなかった場合、プリントアウトも行うとして、スキャナ電源ＯＦＦ、プロッタ電源ＯＮとする（ステップ１２１７、１２１８）。
【００９８】
（８）ステップ１２１０の判定で、ＮＥドキュメントボックス＝１ではなかった場合、ＮＥコピー＝１か否かを判定し、ＮＥコピー＝１であった場合、スキャナ電源ＯＮ、プロッタ電源ＯＮとし、ＮＥコピー＝１ではなかった場合、スキャナ電源ＯＦＦ、プロッタ電源ＯＦＦとする（ステップ１２１１、１２１５、１２１６）。
【００９９】
本発明の実施形態は、前述により、ネットワークから指示されるジョブによって復帰させる機構のみに電源を入れるように制御することが可能になり、より省エネな画像形成装置を構成することができる。
【０１００】
〔操作パネル変更による電源復帰〕
すでに図１を参照して説明したように、従来技術による複合システムは、手動での省エネ状態からの復帰が、図１に示す操作パネルの電源ボタン５０１の操作やＡＤＦの給紙動作、圧版を動作させることにより行われていた。この場合、例えば、ＦＡＸの送信のみを行いたい場合であっても、プロッタが動作してしまい定着部分のヒータなどで余分な電力を消費してしまうという問題が生じる。
【０１０１】
そこで、本発明の実施形態では、使用するジョブによって電源復帰させる機構を選択できるようにし、これにより、より省エネな画像形成装置を構成することとした。すなわち、本発明の実施形態は、図１に示す操作パネルでの従来から行われている復帰方法を廃止し、機能を選択する機能毎のボタン５０１〜５０６のいずれかを押下しないと、省エネから回復しない構成とする。
【０１０２】
前述したボタン５０１〜５０６からの信号は、図３に示すＡＳＩＣ１０２のＰＭＮＥＴＬＩＮＫ７０１、ＰＭ＿ＯＰＳＥＬ７０２に接続される。ＰＭＮＥＴＬＩＮＫ７０１に接続されるＷＵＰ＿ＰＷＲＳＷ＃信号は、操作パネルからの復帰信号である。ＡＳＩＣ１０２において、レジスタと外部信号とを追加する必要がある。その信号は、ＰＭ＿ＯＰＳＥＬ［７：０］７０２である。また、内部に設けるレジスタは、図６によりすでに説明したレジスタ３００であり、このレジスタ３００に、ＯＰ電源３０１、ＯＰスキャナ（data）３０２、ＯＰスキャナ(p−out)３０３、ＯＰプリンタ３０４、ＯＰＦＡＸ３０５、ＯＰドキュメントボックス（data）３０６、ＯＰドキュメントボックス（data）３０６’、ＯＰコピー３０７の各レジスタを追加する。これらの各レジスタは、図１のスイッチ５０１〜５０６と連動している。Ｄａｔａとｐ−ｏｕｔとがあるのは、使用する機能によって復帰動作が変わってくるためである。図３の詳細については、すでに、ネットワークのフレームによる電源復帰で説明済みであるので、説明を省略する。
【０１０３】
図７は図１に示す操作パネルからの信号からレジスタに登録を行い、図３のＡＳＩＣ１０２のＰＷＯＬ７０５、ＧＰＩＯ０７０３に出力する処理を説明するフローチャートであり、次に、これについて説明する。
【０１０４】
（１）操作キーが押下され、その信号が入力されるとその内容に基づいて、前述で説明したレジスタ３００の３０１〜３０７に登録を行う（ステップ４０１、４０２）。
【０１０５】
（２）レジスタ３００の３０１〜３０７を読み出して、電源ボタン５０１の押下であったか否かを判定し、電源ボタン５０１の押下であった場合、ＧＰＩＯ：Ｌｏｗ、ＰＭＷＯＬ：Ｈｉｇｈを出力する（ステップ４０３、４０４、４０８）。
【０１０６】
（３）ステップ４０４の判定で、電源ボタンの押下ではなかった場合、ドキュメントボックスボタン５０３の押下であったか否かを判定し、ドキュメントボックスボタン５０３の押下であった場合、前述と同様に、ＧＰＩＯ：Ｌｏｗ、ＰＭＷＯＬ：Ｈｉｇｈを出力する（ステップ４０５、４０８）。
【０１０７】
（４）ステップ４０５の判定で、ドキュメントボックスボタン５０３の押下ではなかった場合、ＦＡＸの送信ボタン５０４の押下であったか否かを判定し、ＦＡＸの送信ボタン５０４の押下であった場合、前述と同様に、ＧＰＩＯ：Ｌｏｗ、ＰＭＷＯＬ：Ｈｉｇｈを出力する（ステップ４０６、４０８）。
【０１０８】
（５）ステップ４０６の判定で、ＦＡＸの送信ボタンの押下ではなかった場合、スキャナ取り込みか否かを判定し、スキャナ取り込みであった場合、前述と同様に、ＧＰＩＯ：Ｌｏｗ、ＰＭＷＯＬ：Ｈｉｇｈを出力する（ステップ４０７、４０８）。
【０１０９】
（６）ステップ４０７の判定で、スキャナ取り込みではなかった場合、ＧＰＩＯ：Ｌｏｗ、ＰＭＷＯＬ：Ｌｏｗを出力する（ステップ４０９）。
【０１１０】
前述で説明したフローから判るように、判定条件４０４〜４０７により復帰条件が決定される。ここからさらにエンジン１０６側、及び、ＰＳＵ１１０において起動させる機構を決定する。
【０１１１】
すでに、図８により説明したように、エンジン１０６のＡＳＩＣ１０７には、電源セレクトレジスタ８１０が追加され、また、ＰＳＵ１１０には、電源セレクト回路８１１が追加されている。電源セレクト回路８１１の制御は、前述したネットワークのフレームによる電源復帰として説明済みであるので、その説明は省略する。
【０１１２】
電源セレクトレジスタ８１０に、図３に示すコントローラ１０１側からのＰＭ＿ＮＥＳＥＬ［７：０］信号７０３が信号８０１として、また、ＰＭ＿ＯＰＳＥＬ［７：０］信号７０２が信号８０２として接続される。また、追加されるレジスタは、図６により説明したコントローラ側に追加したレジスタと同様な構成であり、３２ビットのレジスタでデフォルト値として、各ビットに“０”が設定されている。そして、操作パネルからの復帰レジスタとして、図６の場合と同様に、１００１〜１００７を設定する。加えて、ビット３１にＰＳＵ１１０からのＰＷＲ＿ＯＮ信号のレジスタが追加されている。このレジスタからジョブによってどの機構を復帰させるかを決定する。
【０１１３】
図１１は操作パネルからのジョブによって起動させる機構を変える制御手順を説明するフローチャートであり、次に、これについて説明する。ここでの処理において、条件判定のステップ１１０３、１１０５、１１０９、１１１０、１１１２は、図１０のレジスタ１００１〜１００７と連動している。また、スキャナ取り込みのデータのみ取り込みの場合と、プリントアウトの場合の判定は、ステップ１１０４で行っており、ドキュメントの取り込みと、プリントアウトが必要なときの条件判定は、ステップ１１１３で行われる。
【０１１４】
（１）図１０に示すレジスタ１０１５のＰＷＲ＿ＯＮ＝１か否かを判定し、ＰＷＲ＿ＯＮ＝１でなかった場合、どこの電源も復帰させず、ＰＷＲ＿ＯＮ＝１であった場合、ＯＰスキャナ＝１か否かを判定する（ステップ１１０１〜１１０３）。
【０１１５】
（２）ステップ１１０３の判定で、ＯＰスキャナ＝１であった場合、データの取り込みのみであるか否かを判定し、データの取り込みのみであった場合、スキャナ電源ＯＮ、プロッタ電源ＯＦＦとし、データの取り込みのみではなかった場合、プリントアウトも行うとして、スキャナ電源ＯＮ、プロッタ電源ＯＮとする（ステップ１１０４、１１０６、１１０７）。
【０１１６】
（３）ステップ１１０３の判定で、ＯＰスキャナ＝１ではなかった場合、ＯＰプリンタ＝１か否かを判定し、ＯＰプリンタ＝１であった場合、スキャナ電源ＯＦＦ、プロッタ電源ＯＮとする（ステップ１１０５、１１０８）。
【０１１７】
（４）ステップ１１０５の判定で、ＯＰプリンタ＝１ではなかった場合、ＯＰＦＡＸ＝１か否かを判定し、ＯＰＦＡＸ＝１であった場合、スキャナ電源ＯＮ、プロッタ電源ＯＦＦとする（ステップ１１０９、１１１１）。
【０１１８】
（５）ステップ１１０９の判定で、ＯＰＦＡＸ＝１ではなかった場合、ＯＰドキュメントボックス＝１か否かを判定し、ＯＰドキュメントボックス＝１であった場合、ドキュメントの取り込みのみか否かを判定する（ステップ１１１０、１１１３）。
【０１１９】
（６）ステップ１１１３の判定で、ドキュメントの取り込みのみであった場合、スキャナ電源ＯＮ、プロッタ電源ＯＦＦとし、ドキュメントの取り込みのみではなかった場合、ドキュメントの取り出し、プリントアウトも行うとして、スキャナ電源ＯＦＦ、プロッタ電源ＯＮとする（ステップ１１１６、１１１７）。
【０１２０】
（７）ステップ１１１０の判定で、ＯＰドキュメントボックス＝１ではなかった場合、ＯＰコピー＝１か否かを判定し、ＯＰコピー＝１であった場合、スキャナ電源ＯＮ、プロッタ電源ＯＮとし、ＯＰコピー＝１ではなかった場合、スキャナ電源ＯＦＦ、プロッタ電源ＯＦＦとする（ステップ１１１２、１１１４、１１１５）。
【０１２１】
本発明の実施形態は、前述により、操作パネルから指示されるジョブによって復帰させる機構のみに電源を入れるように制御することが可能になり、より省エネな画像形成装置を構成することができる。
【０１２２】
前述した本発明の実施形態は、操作パネルから省エネ復帰させる場合、一律に全機能を復帰させるのではなく使用する機能だけを復帰させ、必要のない機能を復帰させないように制御している。そのため、本発明の実施形態は、図１により説明した操作パネル５００の操作フローについても省エネに対応させるようにしている。
【０１２３】
この場合の操作パネルは、図１の説明の中でも説明したように、操作パネル全体をタッチパネルを備えた液晶表示装置等による表示部により構成するとよい。また、図１での説明において、システムの電源がオフとされ表示のための電源もされていないときにも、タッチパネルへのユーザの指等の接触を検出可能としておき、指等の接触が検出された場合、まず、操作パネルを構成する表示部の電源を立ち上げて、その後の操作の全てを表示部のタッチパネルから行うようにすることが可能であるとしたが、電源用のボタンだけを表示部とは別に設けてもよい。但し、この場合も、この電源用のボタンは、復号装置の電源をオンとするものではなく、操作パネルの電源だけをオンとし他の機能ガ一切省エネから復帰させないように機能する。これにより、操作パネルからの省エネ復帰の操作を自由に選択できるようになり、従来、一律に復帰していた機能を選択できるようにするシステムを構成することが可能となる。
【０１２４】
図１３は操作パネルの液晶表示装置等の表示部からの省エネ復帰への処理動作を説明するフローチャートであり、次に、これについて説明する。なお、この処理は、システムが省エネ状態にある場合に、タイマー割り込みにより一定時間毎に起動される。
【０１２５】
（１）処理が開始されると、操作パネルの電源がＯＮとなり操作パネルの電源を復帰させるか否かを判定し、操作パネルの電源がＯＦＦとなっていた場合、省エネ状態を維持する（ステップ１３０１〜１３０３）。
【０１２６】
（２）ステップ１３０２の判定で、操作パネルの電源がＯＮとなっていた場合、操作パネルの電源を立ち上げる。このとき、操作パネル以外の電源は復帰していない（ステップ１３０４）。
【０１２７】
（３）次に、操作パネル上でコピーの使用が指示されているか否かを判定し、コピーの指示が行われていた場合、コピー機能立ち上げ信号を送信する（ステップ１３０５、１３０６）。
【０１２８】
（４）ステップ１３０５の判定で、コピーの使用が指示されていなかった場合、次に、操作パネル上でＦＡＸの使用が指示されているか否かを判定し、ＦＡＸの使用が指示されていた場合、ＦＡＸ機能立ち上げ信号を送信する（ステップ１３０７、１３０８）。
【０１２９】
（５）ステップ１３０７の判定で、ＦＡＸの使用が指示されていなかった場合、次に、操作パネル上でプリンタの使用が指示されているか否かを判定し、プリンタの使用が指示されていた場合、プリンタ機能立ち上げ信号を送信する（ステップ１３０９、１３１０）。
【０１３０】
（６）ステップ１３０９の判定で、プリンタの使用が指示されていなかった場合、次に、操作パネル上でスキャナの使用が指示されているか否かを判定し、スキャナの使用が指示されていた場合、スキャナ機能立ち上げ信号を送信する（ステップ１３１１、１３１２）。
【０１３１】
（７）ステップ１３１１の判定で、スキャナの使用が指示されていなかった場合、次に、操作パネル上でドキュメントボックスの使用が指示されているか否かを判定し、ドキュメントボックスの使用が指示されていなかった場合、省エネ状態を維持する（ステップ１３１３、１３０３）。
【０１３２】
（８）ステップ１３１３の判定で、ドキュメントボックスの使用が指示されていた場合、プリントアウトを行う指示があるか否かを判定する。この判定で、プリントアウトを行う指示があった場合、ドキュメント機能立ち上げ信号及びプリンタ機能立ち上げ信号を送信し、プリントアウトを行う指示がなかった場合、ドキュメントＢＯＸ機能立ち上げ信号のみを送信する（ステップ１３１５、１３１６）。
【０１３３】
（９）ステップ１３０６、１３０８、１３１０、１３１２、１３１５、１３１６の処理による各機能の復帰信号を受けたシステム側では、どの機能を復帰させたらよいかを判断し、状況に応じて必要な機能の電源を復帰させ、ここでの処理は終了する（ステップ１３１７、１３１８）。
【０１３４】
前述した処理を実行することにより、操作パネルの電源を復帰させた後に、復帰させる機能を選択することができ、これにより複合機の省エネ効果をより大きなものとすることができる。
【０１３５】
前述した本発明の実施形態による各処理は、処理プログラムとして構成することができ、この処理プログラムは、ＨＤ、ＤＡＴ、ＦＤ、ＭＯ、ＤＶＤ−ＲＯＭ、ＣＤ−ＲＯＭ等の記録媒体にによる提供や、ネットワークによる提供が可能である。
【図面の簡単な説明】
【０１３６】
【図１】本発明の一実施形態による画像形成装置が組み込まれた複合システムの操作パネルの例を示す図である。
【図２】一般的な複合システムのシステム状態の遷移を説明する図である。
【図３】コントローラ側における省エネ制御を行う部分の構成を示すブロック図である。
【図４】本発明での省エネ制御を実行する画像形成装置のハードウェアプラットホームの構成を示すブロック図である。
【図５】ネットワーク復帰フレームからレジスタに登録を行い、ＰＷＲＣＴＲＬ０、ＰＷＲＣＴＲＬ１の各信号を選択する処理を説明するフローチャートである。
【図６】ＡＳＩＣ１０２に追加するレジスタの例を説明する図である。
【図７】図１に示す操作パネルからの信号からレジスタに登録を行い、図３のＡＳＩＣ１０２のＰＷＯＬ７０５、ＧＰＩＯ０７０３に出力する処理を説明するフローチャートである。
【図８】エンジン側ＡＳＩＣとＰＳＵとの構成を示すブロック図である。
【図９】ＧＰＩＯ０信号、ＰＷＲＯＮ信号によってエンジンに電源を入れるか否かを決定する処理を説明するフローチャートである。
【図１０】ＡＳＩＣ１０７に追加するレジスタの例を説明する図である。
【図１１】操作パネルからのジョブによって起動させる機構を変える制御手順を説明するフローチャートである。
【図１２】ネットワークからのジョブによって起動させる機構を変える制御手順を説明するフローチャートである。
【図１３】操作パネルの液晶表示装置等の表示部からの省エネ復帰への処理動作を説明するフローチャートである。
【符号の説明】
【０１３７】
１０１  コントローラ
１０２、１０７、１１８  ＡＳＩＣ
１０３  ＳＢ
１０４  ＮＢ
１０５、１１１  ＣＰＵ
１０６  エンジン
１０８  スキャナ
１０９  プロッタ
１１０  ＰＳＵ
１１２、１１９  メモリ
５００  操作パネル
５０１  電源ボタン
５０２  コピーボタン
５０３  ドキュメントボックスボタン
５０４  ファックスボタン
５０５  プリンターボタン
５０６  スキャナーボタン
５０７  表示部
５０８  テンキー部
５０９  スタートボタン
５１０  クリア／ストップボタン
５１１  試しコピーボタン
８１０  電源セレクトレジスタ
８１１  電源セレクト回路
【図１】
2004222234.tif 000003
【図２】
2004222234.tif 000004
【図３】
2004222234.tif 000005
【図４】
2004222234.tif 000006
【図５】
2004222234.tif 000007
【図６】
2004222234.tif 000008
【図７】
2004222234.tif 000009
【図８】
2004222234.tif 000010
【図９】
2004222234.tif 000011
【図１０】
2004222234.tif 000012
【図１１】
2004222234.tif 000013
【図１２】
2004222234.tif 000014
【図１３】
2004222234.tif 000015